(57)【要約】【課題】複数枚の原稿を一括して読み取る場合に、読み取りに失敗した原稿があることをユーザーに容易に認識させることが可能な画像形成装置を提供する。【解決手段】画像形成装置は、表示部と、表示制御部と、読取部と、画像検出部と、判定部とを備える。前記表示制御部は、表示部を制御する。前記読取部は、特定面に配置された複数枚の原稿を一括して読み取り、読み取り結果としての全体画像を示す全体画像データを生成する。前記画像検出部は、全体画像データに基づいて、原稿に対応する原稿画像を検出する。前記判定部は、原稿画像の検出結果に基づいて、複数枚の原稿の一括した読み取りが成功したか否かを判定する。前記表示制御部は、判定部で成功していないと判定された場合に第１表示形態で、また判定部で成功したと判定された場合に第２表示形態で、それぞれ表示部に原稿画像を表示するように表示部を制御する。【選択図】図２
2020031320.tif 000002
【特許請求の範囲】
【請求項１】
表示部と、
前記表示部を制御する表示制御部と、
特定面に配置された複数枚の原稿を一括して読み取り、読み取り結果としての全体画像を示す全体画像データを生成する読取部と、
前記全体画像データに基づいて、前記原稿に対応する原稿画像を検出する画像検出部と、
前記画像検出部による検出結果に基づいて、前記複数枚の原稿の一括した読み取りが成功したか否かを判定する判定部と
を備え、
前記表示制御部は、前記判定部で成功していないと判定された場合に、第１表示形態で前記表示部に前記原稿画像を表示するように前記表示部を制御し、前記判定部で成功したと判定された場合に、第２表示形態で前記表示部に前記原稿画像を表示するように前記表示部を制御し、
前記第１表示形態は、前記読取部の前記読み取り時の前記原稿の配置に一致するように前記原稿画像を表示する形態を示し、
前記第２表示形態は、前記原稿画像を整列させるとともに拡大して、前記原稿画像を表示する形態を示す、画像形成装置。
【請求項２】
前記判定部の判定結果を報知する報知部を更に備える、請求項１に記載の画像形成装置。
【請求項３】
前記原稿の枚数を受け付ける受付部を更に備え、
前記画像検出部は、前記原稿画像の数を特定し、
前記判定部は、前記原稿画像の数と前記原稿の枚数とが一致するか否かに基づいて、前記一括した読み取りが成功したか否かを判定する、請求項１又は２に記載の画像形成装置。
【請求項４】
前記受付部は、前記第１表示形態と前記第２表示形態との間で前記原稿画像の表示形態を変更するための指示を受け付け、
前記表示制御部は、前記指示に基づく表示形態で前記表示部に前記原稿画像を表示するように前記表示部を制御する、請求項１〜３の何れか１項に記載の画像形成装置。
【請求項５】
前記判定部で成功したと判定された場合であって、
前記表示制御部は、前記枚数が所定値以上のときに、前記第１表示形態で前記表示部に前記原稿画像を表示するように前記表示部を制御する、請求項１〜４の何れか１項に記載の画像形成装置。
【請求項６】
表示部を備える画像形成装置の画像表示方法であって、
特定面に配置された複数枚の原稿を一括して読み取り、読み取り結果としての全体画像を示す全体画像データを生成する読取ステップと、
前記全体画像データに基づいて、前記原稿に対応する原稿画像を検出する画像検出ステップと、
前記画像検出ステップでの検出結果に基づいて、前記複数枚の原稿の一括した読み取りが成功したか否かを判定する判定ステップと、
前記判定ステップで成功していないと判定された場合に、第１表示形態で前記表示部に前記原稿画像を表示するように前記表示部を制御し、前記判定ステップで成功したと判定された場合に、第２表示形態で前記表示部に前記原稿画像を表示するように前記表示部を制御する表示制御ステップと
を含み、
前記第１表示形態は、前記読取ステップでの前記読み取り時の前記原稿の配置に一致するように、前記原稿画像を表示する形態を示し、
前記第２表示形態は、前記原稿画像を整列させるとともに拡大して、前記原稿画像を表示する形態を示す、画像表示方法。
【発明の詳細な説明】
【技術分野】
【０００１】
本発明は、画像形成装置及び画像表示方法に関する。
【背景技術】
【０００２】
名刺などの小型の複数枚の原稿を原稿台に載置し、これらの原稿を一括して読み取り、読み取った画像データから、各原稿を示す画像を切り出す技術が提案されている（例えば、特許文献１参照）。切り出された原稿の画像データは、データベースに保存され、又は送信先に送信される。
【先行技術文献】
【特許文献】
【０００３】
【特許文献１】特開２００７−２０６９３９号公報
【発明の概要】
【発明が解決しようとする課題】
【０００４】
しかしながら、特許文献１の技術では、スキャンに失敗した原稿があっても、失敗した原稿があることをユーザーが認識することができず、失敗した原稿があることを見逃してしまう場合が生じていた。更に、ユーザーは、スキャン対象の原稿の枚数が多くなるほど、スキャンの失敗に気づくことが困難であった。
【０００５】
本発明は上記課題に鑑みてなされたものであり、その目的は、複数枚の原稿を一括して読み取る場合に、読み取りに失敗した原稿があることをユーザーに容易に認識させることが可能な画像形成装置を提供することにある。
【課題を解決するための手段】
【０００６】
本発明に係る画像形成装置は、表示部と、表示制御部と、読取部と、画像検出部と、判定部とを備える。前記表示制御部は、表示部を制御する。前記読取部は、特定面に配置された複数枚の原稿を一括して読み取り、読み取り結果としての全体画像を示す全体画像データを生成する。前記画像検出部は、全体画像データに基づいて、原稿に対応する原稿画像を検出する。前記判定部は、原稿画像の検出結果に基づいて、複数枚の原稿の一括した読み取りが成功したか否かを判定する。前記表示制御部は、判定部で成功していないと判定された場合に、第１表示形態で表示部に原稿画像を表示するように表示部を制御し、判定部で成功したと判定された場合に、第２表示形態で表示部に原稿画像を表示するように表示部を制御する。前記第１表示形態は、読取部の読み取り時の原稿の配置に一致するように原稿画像を表示する形態を示す。前記第２表示形態は、原稿画像を整列させるとともに拡大して、原稿画像を表示する形態を示す。
【０００７】
本発明に係る画像表示方法は、表示部を備える画像形成装置の画像表示方法であって、読取ステップと、画像検出ステップと、判定ステップと、表示制御ステップとを含む。前記読取ステップでは、特定面に配置された複数枚の原稿を一括して読み取り、読み取り結果としての全体画像を示す全体画像データを生成する。前記画像検出ステップでは、全体画像データに基づいて、原稿に対応する原稿画像を検出する。前記判定ステップでは、画像検出ステップでの検出結果に基づいて、複数枚の原稿の一括した読み取りが成功したか否かを判定する。前記表示制御ステップでは、判定ステップで成功していないと判定された場合に、第１表示形態で表示部に原稿画像を表示するように表示部を制御し、判定ステップで成功したと判定された場合に、第２表示形態で表示部に原稿画像を表示するように表示部を制御する。前記第１表示形態は、読取ステップでの読み取り時の原稿の配置に一致するように、原稿画像を表示する形態を示す。前記第２表示形態は、原稿画像を整列させるとともに拡大して、原稿画像を表示する形態を示す。
【発明の効果】
【０００８】
本発明に係る画像形成装置及び画像表示方法によれば、複数枚の原稿を一括して読み取る場合に、読み取りに失敗した原稿があることをユーザーに容易に認識させることができる。
【図面の簡単な説明】
【０００９】
【図１】本発明の実施形態に係る画像形成装置の構成を示す概略図である。
【図２】画像形成装置の構成を示すブロック図である。
【図３】一括した読み取りに失敗した場合の画像表示処理の概略を示す模式図である。
【図４】一括した読み取りに成功した場合の画像表示処理の概略を示す模式図である。
【図５】画像形成装置の画像表示処理を示すフローチャートである。
【発明を実施するための形態】
【００１０】
以下、本発明に係る画像形成装置の実施形態について、図面を参照しながら説明する。なお、図中、同一又は相当部分については同一の参照符号を付して説明を繰り返さない。
【００１１】
図１を参照して、本発明の実施形態に係る画像形成装置１００の構成について説明する。図１は、本発明の実施形態に係る画像形成装置１００の構成を示す概略図である。本実施形態において、画像形成装置１００は、複合機である。画像形成装置１００は、スキャナー機能と、コピー機能と、通信機能とを有する。
【００１２】
図１に示すように、画像形成装置１００は、画像読取部１０と、給紙カセット２０と、用紙搬送部３０と、画像形成部４０と、用紙排出部５０と、入出力部６０と、通信部７０と、制御部８０とを備える。
【００１３】
画像読取部１０は、原稿台１１を備える。原稿台１１は、複数枚の原稿を載置する。原稿は、例えば、名刺、免許証又はＩＤカード等である。画像読取部１０は、特定面に配置された複数枚の原稿を一括して読み取り、読み取り結果としての全体画像を示す全体画像データを生成する。具体的には、画像読取部１０は、原稿台１１の上面に載置された複数枚の原稿の一面（例えば、おもて面）の画像を一括して読み取り、全体画像データを生成する。画像読取部１０は、全体画像データを制御部８０に送信する。画像読取部１０は、読取部の一例である。
【００１４】
給紙カセット２０は、印刷用の記録媒体Ｐを収容する。印刷を行う際、給紙カセット２０内の記録媒体Ｐは、画像形成部４０を経由して用紙排出部５０から排出されるように、用紙搬送部３０によって搬送される。
【００１５】
用紙搬送部３０は、画像形成部４０を経由して記録媒体Ｐを用紙排出部５０まで搬送する。
【００１６】
画像形成部４０は、制御部８０で生成された印刷用の画像データに基づいて、記録媒体Ｐに画像を形成する。記録媒体Ｐは、例えば用紙である。
【００１７】
入出力部６０は、画像形成装置１００のユーザーによる各種のタッチ操作を検知する。入出力部６０は、タッチ操作を介してユーザーの指示を受け付ける。入出力部６０は、例えば、ユーザーから原稿の枚数を受け付ける。更に、入出力部６０は、原稿画像の表示形態を変更する指示を受け付ける。原稿画像の表示形態を変更する指示の詳細は、図２を参照して後述する。
【００１８】
入出力部６０は、表示部６１を有する。表示部６１は、ユーザーに報知する各種の情報を表示する。表示部６１は、例えば、図３及び図４を参照して後述するプレビュー画面を表示する。入出力部６０は、例えばタッチパネルを有する液晶ディスプレーである。なお、入出力部６０は、受付部及び報知部の一例である。
【００１９】
通信部７０は、同じ通信方式（プロトコル）を利用する電子機器との間で通信が可能である。本実施形態において、通信部７０は、インターネット及びＬＡＮ（Ｌｏｃａｌ  Ａｒｅａ  Ｎｅｔｗｏｒｋ）などのネットワーク網を介して、外部の情報処理装置（以下、外部の情報処理装置を「外部装置」という。）と通信する。通信部７０は、例えば、ＬＡＮボードのような通信モジュールである。
【００２０】
制御部８０は、画像形成装置１００の各構成部分の動作を制御する。更に、制御部８０は、画像読取部１０で生成された画像データを受信して、印刷用の画像データ又は送信用の画像データを生成する。具体的には、制御部８０は、画像読取部１０で生成された全体画像データを受信して、表示部６１に表示させる原稿画像の原稿画像データを生成する。
【００２１】
次に、図１及び図２を参照して、画像形成装置１００の構成のうち、特に制御部８０の構成について、詳細に説明する。図２は、画像形成装置１００の構成を示すブロック図である。
【００２２】
図２に示すように、制御部８０は、処理部８１と、記憶部８２とを備える。処理部８１は、例えば、プロセッサーである。プロセッサーは、例えば、ＣＰＵ（Ｃｅｎｔｒａｌ  Ｐｒｏｃｅｓｓｉｎｇ  Ｕｎｉｔ）である。処理部８１は、記憶部８２に記憶された制御プログラムを実行することによって、画像形成装置１００の各構成部分の動作を制御する。
【００２３】
記憶部８２は、各種のデータ及び制御プログラムを記憶する。記憶部８２は、例えば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、及び／又はソリッドステートドライブ（Ｓｏｌｉｄ  Ｓｔａｔｅ  Ｄｒｉｖｅ：ＳＳＤ）によって構成される。記憶部８２は、外部メモリーを含んでいてもよい。外部メモリーは、リムーバブルメディアである。記憶部８２は、外部メモリーとして、例えば、ＵＳＢ（Ｕｎｉｖｅｒｓａｌ  Ｓｅｒｉａｌ  Ｂｕｓ）メモリー、及び／又はＳＤ（Ｓｅｃｕｒｅ  Ｄｉｇｉｔａｌ）カードを含んでもよい。
【００２４】
処理部８１は、画像生成部８１１と、判定部８１２と、表示制御部８１３とを含む。本実施形態において、処理部８１が記憶部８２に格納された制御プログラムを実行することによって、制御プログラムが、画像生成部８１１と、判定部８１２と、表示制御部８１３との機能を実現する。
【００２５】
画像生成部８１１は、画像読取部１０から全体画像データを受信する。更に、画像生成部８１１は、画像読取部１０で生成された全体画像データに基づいて、原稿に対応する原稿画像を検出し、原稿画像を示す原稿画像データを生成する。原稿画像は、原稿台１１に載置される一の原稿に対応する画像である。具体的には、画像生成部８１１は、公知のマルチオートクロップ機能を用いて、全体画像データから原稿画像データを生成する。画像生成部８１１は、画像検出部の一例である。
【００２６】
画像生成部８１１は、例えば、全体画像の濃度分布に基づいて、全体画像の中の原稿の辺縁に対応する画像のエッジを検出する。更に、画像生成部８１１は、画像のエッジに基づいて、複数の画像データを切り出す。画像生成部８１１は、複数の画像データを切り出す際に画像データの数を特定する。なお、画像形成装置１００はカラー複合機であってもよい。カラー複合機では、全体画像の色合い分布に基づいて、各矩形の画像のエッジを検出する。
【００２７】
本実施形態において、画像生成部８１１は、生成した原稿画像データに、位置情報とサイズ情報とを付加する。位置情報は、原稿台１１における原稿画像の位置を示す。サイズ情報は、原稿画像のサイズを示す。例えば、画像生成部８１１は、原稿台１１の基準位置に基づいて、原稿画像の中心位置を算出する。更に、画像生成部８１１は、原稿画像のエッジに基づいて、原稿画像のサイズを算出する。原稿台１１の基準位置は、例えば左側後端部である。
【００２８】
判定部８１２は、画像生成部８１１の原稿画像の検出結果に基づいて、複数枚の原稿の一括した読み取り（以下、複数枚の原稿の一括した読み取りを「一括した読み取り」ともいう。）が成功したか否かを判定する。具体的には、判定部８１２は、原稿画像の数と、入出力部６０で受け付けた原稿の枚数とが一致するか否かに基づいて、一括した読み取りが成功したか否かを判定する。
【００２９】
表示制御部８１３は、表示部６１に画像を表示するように表示部６１を制御する。更に、表示制御部８１３は、表示部６１に対するユーザーの指示に基づいて、表示部６１に表示させる画像を変更するように表示部６１を制御する。具体的には、表示制御部８１３は、判定部８１２で一括した読み取りが成功していないと判定された場合に、第１表示形態で表示部６１に原稿画像を表示するように表示部６１を制御する。更に、表示制御部８１３は、判定部８１２で一括した読み取りが成功したと判定された場合に、第２表示形態で表示部６１に原稿画像を表示するように表示部６１を制御する。ここで、第１表示形態とは、画像読取部１０での読み取り時の原稿の配置に一致するように原稿画像を表示する形態を示す。第２表示形態とは、原稿画像を整列させるとともに拡大して、原稿画像を表示する形態を示す。
【００３０】
更に、表示制御部８１３は、入出力部６０で受け付けた指示に基づいて、原稿画像の表示形態を変更して表示部６１に原稿画像を表示するように表示部６１を制御する。具体的には、表示制御部８１３は、入出力部６０が受け付けた第１表示形態と第２表示形態との間で原稿画像の表示形態を変更するための指示に基づいて、原稿画像の表示形態を変更して、表示部６１に原稿画像を表示するように表示部６１を制御する。これにより、ユーザーは、所望する表示形態で原稿画像を表示させることができる。
【００３１】
表示制御部８１３は、判定部８１２で一括した読み取りが成功したと判定された場合であって、ユーザーから受け付けた原稿の枚数が所定値以上のときは、第１表示形態で表示部６１に原稿画像を表示するように表示部６１を制御してもよい。所定値は、例えば５枚である。すなわち、一括した読み取りが失敗していなくとも、原稿の枚数が所定値以上のときは、読み取り時の原稿の配置に一致するように原稿画像が表示される。これにより、ユーザーは、一括した読み取り後の原稿画像の状況を容易に認識することができる。
【００３２】
次に、図１〜図５を参照して、画像形成装置１００の画像表示処理を説明する。画像表示処理とは、複数枚の原稿を一括して読み取った際の読取結果の状況をユーザーに報知する処理である。
【００３３】
図３は、一括した読み取りが失敗した場合の画像表示処理の概略を示す模式図である。図３は、原稿台１１に載置された複数の原稿と、画面６２Ａと、画面６２Ｂとを示す。
【００３４】
原稿台１１には、原稿１２Ａ〜原稿１２Ｄの裏面が目視できるように原稿１２Ａ〜原稿１２Ｄが載置されている。具体的には、原稿１２Ａの裏面の絵柄が「ａ」であり、原稿１２Ｂの裏面の絵柄が「ｂ」であり、原稿１２Ｃの裏面の絵柄が「ｃ」であり、原稿１２Ｄの裏面の絵柄が「ｄ」である。ここで、原稿１２Ａのおもて面の絵柄を「Ａ」とし、原稿１２Ｂのおもて面の絵柄を「Ｂ」とし、原稿１２Ｃのおもて面の絵柄を「Ｃ」とし、原稿１２Ｄのおもて面の絵柄を「Ｄ」とする。
【００３５】
画面６２Ａは、原稿画像１３Ａ〜原稿画像１３Ｃと、次へボタン１５と、再スキャンボタン１６と、拡大ボタン１７Ａと、エラーマーク１８とを表示する。原稿画像１３Ａ〜原稿画像１３Ｃは、一括した読み取りの実施によって検出された原稿画像を示す。原稿画像１３Ａ〜原稿画像１３Ｃは、画像読取部１０での一括した読み取り時の原稿の配置に一致するように、表示部６１に表示されている。すなわち、原稿画像１３Ａ〜原稿画像１３Ｃは、第１表示形態で表示されている。図３に破線で示すように、原稿１２Ｄに対応する原稿画像１３Ｄは検出されていない。次へボタン１５は、予め規定した次の処理に処理を進めるために使用される。再スキャンボタン１６は、再度読み取りを実施するために使用される。拡大ボタン１７Ａは、検出された原稿画像を拡大して表示部６１に表示するために使用される。エラーマーク１８は、一括した読み取りが失敗したことを示す。
【００３６】
図３の例では、原稿画像１３Ａ〜原稿画像１３Ｄのうち原稿画像１３Ｄが検出されていないため、一括した読み取りは失敗している。表示制御部８１３がエラーマーク１８を表示させることにより、ユーザーは、一括した読み取りに失敗したことを容易に認識することができる。更に、一括した読み取りに失敗した場合に、表示制御部８１３が原稿画像を第１表示形態で表示部６１に表示させることにより、ユーザーは、一括した読み取りに失敗した原稿の位置を容易に認識することができる。
【００３７】
画面６２Ｂは、原稿画像１４Ａ〜原稿画像１４Ｃと、次へボタン１５と、再スキャンボタン１６と、そのままボタン１７Ｂと、エラーマーク１８とを表示する。原稿画像１４Ａ〜原稿画像１４Ｃは、原稿画像１３Ａ〜原稿画像１３Ｃを整列させるとともに拡大して表示部６１に表示されている。すなわち、原稿画像１４Ａ〜原稿画像１４Ｃは、第２表示形態で表示されている。そのままボタン１７Ｂは、表示部６１に表示されている原稿画像１４Ａ〜原稿画像１４Ｃを原稿画像１３Ａ〜原稿画像１３Ｃに戻すために使用される。画面６２Ｂが示すように、表示制御部８１３が原稿画像１３Ａ〜原稿画像１３Ｃを整列させるとともに拡大して原稿画像１４Ａ〜原稿画像１４Ｃを表示部６１に表示することにより、ユーザーは、一括した読み取りが失敗した場合に、原稿画像の詳細を確認することができる。
【００３８】
図３に示すように、先ず、原稿台１１に原稿１２Ａ〜原稿１２Ｄが載置された状態で、一括した読み取りが実施されると、表示部６１に画面６２Ａが表示される。更に、画面６２Ａにおいて、拡大ボタン１７Ａが押下されると、表示部６１に画面６２Ｂが表示される。また、画面６２Ｂにおいて、そのままボタン１７Ｂが押下されると、表示部６１に画面６２Ａが表示される。なお、図３及び図４では、「一括した読み取りの実施」を「スキャン実施」と記載している。
【００３９】
図４は、一括した読み取りが成功した場合の画像表示処理の概略を示す模式図である。図４は、原稿台１１に載置された複数の原稿と、画面６２Ｃと、画面６２Ｄとを示す。
【００４０】
図３と同様に、図４の原稿台１１には、原稿１２Ａ〜原稿１２Ｄの裏面が目視できるように原稿１２Ａ〜原稿１２Ｄが載置されている。
【００４１】
画面６２Ｃは、原稿画像１４Ａ〜原稿画像１４Ｄと、次へボタン１５と、再スキャンボタン１６と、そのままボタン１７Ｂとを示す。原稿画像１４Ａ〜原稿画像１４Ｄは、一括した読み取りを実施したことで検出された原稿画像である。原稿画像１４Ａ〜原稿画像１４Ｄは、画像読取部１０での一括した読み取りの実施によって検出された原稿画像の配置を整列させるとともに拡大した形態で表示部６１に表示されている。すなわち、原稿画像１４Ａ〜原稿画像１４Ｄは、第２表示形態で表示されている。図４の例では、原稿１２Ａ〜原稿１２Ｄに対応する原稿画像１４Ａ〜原稿画像１４Ｄのすべてが検出されているため、一括した読み取りは成功している。画面６２Ｃに示すように、一括した読み取りに成功した場合に、表示制御部８１３が原稿画像を第１表示形態でなく第２表示形態で表示部６１に表示させることにより、ユーザーは、読み取った原稿の内容を確認することができる。
【００４２】
画面６２Ｄは、原稿画像１３Ａ〜原稿画像１３Ｄと、次へボタン１５と、再スキャンボタン１６と、拡大ボタン１７Ａとを示す。原稿画像１３Ａ〜原稿画像１３Ｄは、第１表示形態で表示されている。
【００４３】
原稿台１１に原稿１２Ａ〜原稿１２Ｄが載置された状態で、一括した読み取りが実施されると、表示部６１に画面６２Ｃが表示される。更に、画面６２Ｃにおいて、そのままボタン１７Ｂが押下されると、表示部６１に画面６２Ｄが表示される。また、画面６２Ｄにおいて、拡大ボタン１７Ａが押下されると、表示部６１に画面６２Ｃが表示される。
【００４４】
図５は、画像表示処理を示すフローチャートである。画像表示処理は、ステップＳ２〜ステップＳ１８によって実行される。画像表示処理は、読取処理と、判定処理と、表示処理とを含む。
【００４５】
読取処理では、画像読取部１０が、複数枚の原稿を一括して読み取った結果である全体画像を示す全体画像データを生成する。更に、読取処理では、画像生成部８１１が、全体画像データに基づいて、原稿に対応する原稿画像を検出し、検出した原稿画像の数を特定する。読取処理は、ステップＳ６〜ステップＳ１０の処理に相当する。
【００４６】
判定処理では、判定部８１２が、原稿画像の数に基づいて、一括した読み取りが成功したか否かを判定する。判定処理は、ステップＳ１２の処理に相当する。
【００４７】
表示処理では、表示制御部８１３が、判定部８１２の判定結果を含む読取結果を表示部６１に表示するように表示部６１を制御する。表示処理は、ステップＳ１４又はステップＳ１６の処理に相当する。
【００４８】
ステップＳ２：入出力部６０は、ユーザーから、複数枚の原稿を送信する送信先を受け付ける。処理は、ステップＳ４に進む。
【００４９】
ステップＳ４：入出力部６０は、ユーザーから、読み取る原稿の枚数（Ｎ０）を受け付ける。処理は、ステップＳ６に進む。
【００５０】
ステップＳ６：画像読取部１０は、複数枚の原稿を一括して読み取り、全体画像データを生成する。処理は、ステップＳ８に進む。
【００５１】
ステップＳ８：画像生成部８１１は、全体画像データから原稿画像データを検出する。処理は、ステップＳ１０に進む。
【００５２】
ステップＳ１０：画像生成部８１１は、検出した原稿画像の数（Ｎ１）を特定する。処理は、ステップＳ１２に進む。
【００５３】
ステップＳ１２：判定部８１２は、原稿の枚数（Ｎ０）と原稿画像の数（Ｎ１）とが等しいか否かを判定する。原稿の枚数（Ｎ０）と原稿画像の数（Ｎ１）とが等しいと判定部８１２が判定した場合は（ステップＳ１２でＹｅｓ）、処理はステップＳ１４に進む。原稿の枚数（Ｎ０）と原稿画像の数（Ｎ１）とが等しくないと判定部８１２が判定した場合は（ステップＳ１２でＮｏ）、処理はステップＳ１６に進む。
【００５４】
ステップＳ１４：表示制御部８１３は、各原稿画像を整列させ、かつ、拡大して表示部６１に表示させる。画像表示処理は、終了する。
【００５５】
ステップＳ１６：表示制御部８１３は、読み取り時の原稿の配置に一致するように各原稿画像を表示部６１に表示させる。図５では、「読み取り時の原稿の配置に一致するように表示部６１に表示させること」を「そのまま表示」と記載している。処理は、ステップＳ１８に進む。
【００５６】
ステップＳ１８：表示制御部８１３は、ユーザーから再スキャンの指示があるか否かを判定する。ユーザーから再スキャンの指示があると表示制御部８１３が判定した場合は（ステップＳ１８でＹｅｓ）、処理は、ステップＳ６に進む。ユーザーから再スキャンの指示がないと表示制御部８１３が判定した場合は（ステップＳ１８でＮｏ）、画像表示処理は、終了する。
【００５７】
以上のように、本実施形態の画像形成装置１００によれば、一括した読み取りに失敗した場合に、原稿の読み取り時の原稿の配置に一致するように原稿画像を表示部に表示する。したがって、ユーザーは、原稿の読み取り時の原稿の位置関係と、読み取った原稿画像の位置関係との比較が容易になる。その結果、複数枚の原稿を一括して読み取る場合に、読み取りに失敗した原稿があることをユーザーに容易に認識させることができる。
【００５８】
以上、図面（図１〜図５）を参照しながら本発明の実施形態を説明した。但し、本発明は、上記の実施形態に限られるものではなく、その要旨を逸脱しない範囲で種々の態様において実施することが可能である（例えば、下記に示す（１）及び（２））。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の材質や形状、寸法等は一例であって、特に限定されるものではなく、本発明の効果から実質的に逸脱しない範囲で種々の変更が可能である。
【００５９】
（１）本発明の画像表示処理をユーザーの動作をトリガーとして起動するように実現してもよい。例えば、ユーザーが画像形成装置のプラテンカバーを開けた時点から計時を開始し、一定時間（例えば、５秒）が経過した場合に、本発明の画像表示処理を推奨する画面を表示部に表示させるように制御する構成を追加してもよい。
【００６０】
（２）本発明の実施形態では、画像形成装置１００の一例として、複合機を用いて説明したが、画像形成装置１００は、複合機に限定されない。例えば、画像形成装置１００は、例えば、スキャナー、及び／又はプリンターを備えるパーソナルコンピューターであってもよい。
【００６１】
更に、本発明は、本発明に係る画像形成装置の特徴的な構成手段をステップとする画像表示方法として実現したり、それらのステップを含む制御プログラムとして実現したりすることもできる。また、そのプログラムは、ＣＤ−ＲＯＭ等の記録媒体や通信ネットワーク等の伝送媒体を介して流通させることもできる。
【産業上の利用可能性】
【００６２】
本発明は、画像形成装置の分野に利用可能である。
【符号の説明】
【００６３】
１０    画像読取部
１１    原稿台
４０    画像形成部
６０    入出力部
６１    表示部
６２Ａ，６２Ｂ，６２Ｃ，６２Ｄ    画面
７０    通信部
８０    制御部
８１    処理部
８１１  画像生成部
８１２  判定部
８１３  表示制御部
８２    記憶部
１００  画像形成装置
【図１】
2020031320.tif 000003
【図２】
2020031320.tif 000004
【図３】
2020031320.tif 000005
【図４】
2020031320.tif 000006
【図５】
2020031320.tif 000007